(57)【要約】【課題】放射発生装置を備えた電気機器を提供する。【解決手段】外部環境から分離可能な内部空間１が設けられており、内部空間１内へ電磁放射を発生するための、内部空間１に配置された少なくとも１つの放射発生装置４１，４２，４３，４４，４５が設けられている。【選択図】図１
2008142554.tif 000002
【特許請求の範囲】
【請求項１】
電気機器において、
外部環境から分離可能な内部空間（１）が設けられており、
該内部空間（１）内へ電磁放射を発生するための、内部空間（１）に配置された少なくとも１つの放射発生装置（４，４０，４１，４２，４３，４４，４５，４６，４７，４８，４９）が設けられていることを特徴とする、電気機器。
【請求項２】
外部環境から内部空間（１）を分離するドア（３）が設けられている、請求項１記載の電気機器。
【請求項３】
前記ドア（３）が内部ドア面（３０）を有しており、
該内部ドア面（３０）に少なくとも１つの放射発生装置（４０）が配置されている、請求項１又は２記載の電気機器。
【請求項４】
外部環境に対して内部空間（１）を閉じ込める容器が設けられており、
該容器が、内部空間（１）の境界を形成しかつ内壁面（２０，２０１，２０２，２０３）を有する少なくとも１つの壁部（２）を有しており、
少なくとも１つの放射発生装置（４０，４１，４２，４３，４４，４５，４６，４７，４８，４９）が前記内壁面（２０，２０１，２０２，２０３）に配置されている、請求項１から３までのいずれか１項記載の電気機器。
【請求項５】
前記容器がさらにドア（３）を含む、請求項１から４までのいずれか１項記載の電気機器。
【請求項６】
前記内部空間（１）に少なくとも１つの棚（６）が配置されている、請求項１から５までのいずれか１項記載の電気機器。
【請求項７】
少なくとも１つの放射発生装置（４７）が少なくとも１つの棚（６）に配置されている、請求項１から６までのいずれか１項記載の電気機器。
【請求項８】
棚（６）を位置決めしかつ少なくとも１つの放射発生装置（４７）に電気的接続を提供するための保持エレメント（６０）が設けられている、請求項６又は７記載の電気機器。
【請求項９】
少なくとも１つの放射発生装置（４１，４２，４３，４４，４５）が複数の放射発生装置を含む、請求項１から８までのいずれか１項記載の電気機器。
【請求項１０】
電磁放射が、紫外波長、可視波長又は赤外波長のうちの少なくとも１つを含む、請求項１から９までのいずれか１項記載の電気機器。
【請求項１１】
放射発生装置（４，４０，４１，４２，４３，４４，４５，４６，４７，４８，４９）が、内部空間（１）が外部環境から分離されている時に第１の電磁放射を発生する、請求項１から１０までのいずれか１項記載の電気機器。
【請求項１２】
放射発生装置（４，４０，４１，４２，４３，４４，４５，４６，４７，４８，４９）が、内部空間（１）が外部環境へ開放している時に第１の電磁放射を発生することを停止する、請求項１から１１までのいずれか１項記載の電気機器。
【請求項１３】
第１の電磁放射が、紫外波長及び／又は赤外波長を含む、請求項１１又は１２記載の電気機器。
【請求項１４】
放射発生装置（４，４０，４１，４２，４３，４４，４５，４６，４７，４８，４９）が、内部空間（１）が外部環境へ開放している時に第２の電磁放射を発生する、請求項１１から１３までのいずれか１項記載の電気機器。
【請求項１５】
放射発生装置（４，４０，４１，４２，４３，４４，４５，４６，４７，４８，４９）が、内部空間（１）が外部環境から分離されている時に第２の電磁放射を発生することを停止する、請求項１から１４までのいずれか１項記載の電気機器。
【請求項１６】
第２の電磁放射が可視波長を含む、請求項１４又は１５記載の電気機器。
【請求項１７】
ドア（３）及び少なくとも１つの壁部（２）が紫外放射に対して不透明である、請求項５記載の電気機器。
【請求項１８】
ドア（３）又は少なくとも１つの壁部（２）が可視放射に対して少なくとも部分的に透明である、請求項４又は５記載の電気機器。
【請求項１９】
放射発生装置（４，４０，４１，４２，４３，４４，４５，４６，４７，４８，４９）が、有機放射発生装置及び／又は無機放射発生装置を含む、請求項１から１８記載の電気機器。
【請求項２０】
有機放射発生装置（４，４０，４６，４７，４８，４９）が、有機発光ダイオード（ＯＬＥＤ）を含む、請求項１から１９までのいずれか１項記載の電気機器。
【請求項２１】
無機放射発生装置（４，４１，４２，４３，４４，４５）が、無機発光ダイオード（ＬＥＤ）（４１１，４１２，４１３，４１４）又はエレクトロルミネセンスフォイル（ＥＬＦ）を含む、請求項１９記載の電気機器。
【請求項２２】
放射発生装置（４，４１，４２，４３，４４，４５）が、第１の電磁放射を発生することができる第１のコンポーネント（４１４）と、第２の電磁放射を発生することができる第２のコンポーネント（４１１，４１２，４１３）とを含む、請求項１から２１までのいずれか１項記載の電気機器。
【請求項２３】
電気機器が、家庭用機器、医療用機器又は産業用機器である、請求項１から２２までのいずれか１項記載の電気機器。
【請求項２４】
外部環境の温度よりも低い温度に内部空間（１）を冷却するための冷却装置（７）が設けられている、請求項１から２３までのいずれか１項記載の電気機器。
【請求項２５】
内部空間（１）に水を供給するための接続部（８１）が設けられている、請求項１から２３までのいずれか１項記載の電気機器。
【発明の詳細な説明】
【技術分野】
【０００１】
本発明は電気機器に関する。
【発明の開示】
【発明が解決しようとする課題】
【０００２】
本発明の実施形態の１つの目的は放射発生装置を備えた電気機器を提供することである。
【課題を解決するための手段】
【０００３】
この目的は請求項１による内容によって達成される。別の好適な実施形態は別の請求項に記載されている。
【０００４】
発明の少なくとも１つの実施形態によれば、電気機器は、
外部環境から分離可能な内部空間と、
内部空間に電磁放射を発生するための、内部空間に配置された少なくとも１つの放射発生装置とを有している。
【０００５】
発明の少なくとも１つの実施形態において、外部環境は、電気機器が配置されている周囲環境である。したがって、外部環境又は周囲環境は、例えば温度、湿度及び／又は気圧を含む周囲条件を提供する。外部環境は、電気機器が配置されている部屋又は建物を含む。内部空間は外部環境から分離されており、内部空間は例えば物理的及び／又は熱的に外部環境から遮断されている。したがって、周囲条件とは異なることができる、内部空間における内部条件を確立することができる。「物理的に遮断されている」とは、空気又は水等の粒子又は電磁放射の交換が減じられるか又は好適には阻止されるということである。例えば、内部空間内へ放射発生装置によって発生される電磁放射は、内部空間が周囲環境から分離されている場合に外部環境を照射することを阻止されている。
【０００６】
発明の少なくとも１つの好適な実施形態において、電気機器はドアを有しており、このドアは、ドアを閉鎖することによって内部空間を外部環境から分離する。これに対して、ドアを開放することにより、内部空間は外部環境に接続される。好適には、電気機器は開口を有しており、この開口は、ドアを閉鎖することによって遮蔽され、これにより、内部空間を外部環境から分離する。さらに、開口は、ドアが閉鎖されている時に内部空間を外部環境からシールするために、シール、例えばゴムシールによって包囲されていることができる。
【０００７】
発明の少なくとも１つの別の実施形態において、ドアは、ドアが閉鎖されている時に内部空間に隣接して配置される内部ドア面を有する。この場合、内部ドア面は、内部空間への境界を形成しており、内部空間に面している。放射発生装置が内部ドア面に配置されていると有利であり、これにより、ドアが閉鎖されているときには内部空間に向かって、ドアが開放されているときには外部環境に向かって電磁放射を放射することができる。さらに、放射発生装置は、内部ドア面の一部として形成されているか、又はドアに一体的に組み込まれていることができる。これによって、放射発生装置は、少なくとも内部ドア面の一部である面、好適には放射取出し面、を有する。
【０００８】
発明の少なくとも１つの別の実施形態において、電気機器は少なくとも１つの壁部を有しており、この壁部は、内部空間への別の境界を形成しており、内壁面を有している。少なくとも１つの放射発生装置が内壁面に配置されているか、又は内壁面の一部として形成されている。放射発生装置は壁部に一体的に組み込まれている。放射発生装置は、少なくとも内壁面の一部として形成された面、好適に放射取出し面を有することができる。
【０００９】
特に、電気機器は、互いに隣接して配置されていて複数の方向で内部空間に対する境界を形成した複数の壁部を有する。好適には、内部空間は、ドアが閉鎖されている時に、少なくとも１つの壁部又は複数の壁部及びドアによって完全に包囲されている。
【００１０】
電気機器は内部空間を限定する容器を含み、容器は少なくとも１つの壁部及び／又はドアを有する。
【００１１】
発明の少なくとも１つの別の実施形態において、少なくとも１つの棚が内部空間に配置されている。さらに、複数の棚が内部空間に配置されることができる。少なくとも１つの棚又は複数の棚は、物体を内部空間における少なくとも１つの高さ又は複数の高さに載置及び／又は配置するために役立つ。
【００１２】
発明の少なくとも１つの別の実施形態において、少なくとも１つの放射発生装置が少なくとも１つの棚に配置されている。これは、放射発生装置が棚の表面に取り付けられているか又は棚に含まれており、放射発生装置が少なくとも棚の表面の一部として形成されているということである。電磁放射は、放射発生装置の放射取出し面及び／又は棚の表面を介して内部空間へ放射される。
【００１３】
好適には、棚は、電磁放射に対して透明な材料、例えばガラス又は透明なプラスチックを含み、放射発生装置によって放射された電磁放射は棚を透過することができる。択一的に、棚は少なくとも電磁放射の一部に対して不透明であるか、又は少なくとも電磁放射の一部を反射することができる。
【００１４】
電気機器はさらに、少なくとも１つの棚を配置及び／又は取り付けるために使用される少なくとも１つの保持エレメントを有する。例えば、保持エレメントは、棚を支持しかつ棚を所定の位置に保持する支持面若しくはクランプを含む。少なくとも１つの放射発生装置が棚に配置されている場合、保持エレメントが、この少なくとも１つの放射発生装置への電気接続を提供する電気コネクタを有すると有利である。
【００１５】
発明の少なくとも１つの好適な実施形態において、少なくとも１つの放射発生装置は複数の放射発生装置を含む。複数の放射発生装置は同じ電磁放射又は異なる電磁放射を発生する。例えば、複数の放射発生装置は、様々な異なる位置において内部空間に電磁放射発生を提供するために、内壁表面及び／又は内部ドア面及び／又は少なくとも１つの棚の複数の位置に配置されていることができる。
【００１６】
例えば、電磁放射は、可視波長を含む。この場合、少なくとも１つの放射発生装置又は複数の放射発生装置は、内部空間又は少なくとも内部空間の一部を照明するために使用される。さらに、電磁放射は、内部空間、例えば少なくとも１つの棚の上に配置された物体を照明するために使用される。好適には、可視電磁放射は、観察者のために白色照明印象を提供する。択一的に、照明印象は、単色又は混色であるか又は色及び／又は輝度の勾配を有することができる。
【００１７】
発明の少なくとも１つの好適な実施形態において、放射発生装置は、内部空間が外部環境から分離されている時に発生される第１の電磁放射を発生する。さらに、内部空間が外部環境へ開放されている時に放射発生装置は第１の電磁放射を発生するのを停止することができ、これは、ドアが閉鎖されている時にだけ第１の電磁放射が発生されることを意味する。電気機器は例えばドア制御式スイッチを有しており、このドア制御式スイッチは、ドアが開閉された時にそれぞれ、第１の電磁放射を発生する放射発生装置を作動又は作動停止させることができる。さらに、ドア制御式スイッチは、ドアが閉鎖された時に放射発生装置を作動させ、時間制御式スイッチが、所定の時間が経過した後に、第１の電磁放射を発生する放射発生装置を作動停止させることができる。
【００１８】
特に、第１の電磁放射が紫外波長を有すると有利である。例えば、微生物及び／又は細菌が活性になるのを防止するように例えば微生物及び／又は細菌を照射した場合に第１の電磁放射が殺菌剤、殺ウイルス剤及び／又は殺細菌剤の効果を有するように、紫外波長が選択されることができる。したがって、第１の電磁放射は、内部空間、内部空間における空気又はガス、内壁面、内部ドア面、１つ又は複数の棚及び／又は内部空間に配置された物体を殺菌、滅菌及び／又は清浄化するために使用されることができる。前記殺菌、滅菌及び／又は清浄化機構は、ドアが閉鎖され、内部空間が外部環境から分離されるたびに作動されることができる。
【００１９】
特に、内面に配置されることができる物体は、有機材料及び無機材料、食品、及び例えば医療器具又はインプラントのような医療用物体のうちの少なくとも１つを含むことができる。さらに、氷、水又はその他のあらゆる液体が内部空間に閉じ込められ、第１の電磁放射によって照射されている時に清浄化及び／又は殺菌されることができる。例えば、水の場合、第１の電磁放射は、飲むために安全であることを保証するために、内部空間に配置されながら水を処理するために使用されることができる。
【００２０】
発明の少なくとも１つの別の実施形態において、内部空間を包囲したドア及び少なくとも１つの壁部又は複数の壁部は、紫外放射に対して不透明である。
【００２１】
択一的に又は付加的に、第１の電磁放射は赤外波長を含む。例えば、有機物体及び特に食品等の腐敗しやすい物品若しくは製品が内部空間に貯蔵されることができる。一旦食品が腐敗し始めると、食品から内部空間へ浸出する揮発性成分が生じる。この揮発性成分は、特有の赤外線吸収信号を有するので、特定の赤外波長の吸収が、特定の波長における強度の損失によって検出されることができる。したがって、電気機器はさらに検出器を有しており、この検出器は、赤外波長を検出することができ、特に、特定の赤外波長の吸収を検出することができる。検出器は、内部空間における又は内部空間の外側におけるディスプレイにメッセージを送信し、このメッセージは、使用者に食品の腐敗に関する情報を提供するために使用されることができる。
【００２２】
さらに、放射発生装置は、内部空間が外部環境へ開放している時に、すなわちドアが開放している時に発生される第２の電磁放射を発生することができる。付加的に、この場合に、放射発生装置は、内部空間が外部環境から分離されている時、特にドアが閉鎖されている時に第２の電磁放射を発生することを停止すると有利である。上述のように、電気機器はドア制御式スイッチを有しており、このドア制御式スイッチは、ドアが開閉される時にそれぞれ、第２の電磁放射を発生する放射発生装置を作動又は作動停止させるために使用されることができる。好適には、第２の電磁放射は、上述のように内部空間を照明するための可視光、特に白色光を含む。
【００２３】
発明の少なくとも１つの別の実施形態において、ドア又は少なくとも１つの壁部は、可視放射に対して少なくとも部分的に透明である。これは、ドア又は少なくとも１つの壁部が、可視放射に対して透明な窓を含むことを意味する。好適には、窓は、可視電磁放射に対して透明であり、紫外放射に対して不透明である。このような場合、放射発生装置は、内部空間が外部環境から分離されている時、すなわちドアが閉鎖されている時にも可視放射を発生することができると有利である。したがって、ドアが閉鎖されている時にも内部空間、例えば内部空間に配置された物体、を見ることができる。
【００２４】
放射発生装置は、あらゆる好都合な形状、例えば点状、線状又は面状であることができる。例えば、点状は、点状光源として形成された放射発生装置に適しているのに対し、線状は、主として一方向に直線に沿って又は曲線に沿って延びた形状であることができる。例えば、面状は、多角形、円形、楕円形又はこれらのあらゆる組合せの形状のパネルであることができる。好適には、面をカバーする放射発生装置は矩形パネルである。
【００２５】
さらに、放射発生装置は、２つ以上の面、例えば２つ以上の内壁面に配置されることができる。これは、放射発生装置が、例えば２つ又は３つ以上の内壁面に亘って延びていることができ、これにより、２つ又は３つ以上の内壁面を少なくとも部分的にカバーしているということである。特に、２つ又は３つ以上の内壁面は互いに対して平行でなくてよい。したがって、放射発生装置は、内壁面が放射発生装置によって被覆されるように、曲げられている及び／又は湾曲されていることができる。
【００２６】
さらに、放射発生装置は光学素子を有する。光学素子は例えば、レンズ、拡散器又は波長変換器であることができる。
【００２７】
発明の別の実施形態において、放射発生装置は、有機又は無機放射発生装置、特に、有機又は無機発光ダイオード又はエレクトロルミネセンスフォイルである。
【００２８】
発明の少なくとも１つの実施形態において、有機放射発生装置は有機発光ダイオードを含む。有機発光ダイオード（ＯＬＥＤ）は有機半導体層又は少なくとも１つの有機層を備えた半導体層シーケンスを有しており、電磁放射を発生することができる活性領域を有している。ＯＬＥＤは、基板上の第１の電極と、第２の電極とを有しており、有機半導体層又は少なくとも１つの有機層を備えた半導体層シーケンスは、第１の電極と第２の電極との間に配置されている。基板は、剛性又はフレキシブルであることができ、透明又は不透明な材料を含む。基板は、ガラス、石英、プラスチックシート又はフォイル、金属、金属箔、ウェハ、又はこれらのあらゆる組合せ又はラミネートを含むことができる。第１及び第２の電極は、活性領域に正孔又は電子を噴射するのに適しており、これらの正孔及び電子は、活性領域における電磁放射の発生の下で再結合することができる。したがって、一方の電極はアノードとして形成されているのに対し、他方の電極はカソードとして形成されている。
【００２９】
さらに、第１及び第２の電極の少なくとも一方は、活性領域によって発生された電磁放射を伝達することができる透明材料を含む。好適には、透明材料は、透明な導電性酸化物、金属、又は導電性有機材料を含む。例えば、透明な電極は、活性領域に陽電荷（"正孔"）を噴射することができるアノード又は活性領域に電子を噴射することができるカソードとして形成されている。透明な導電性酸化物を含む透明な電極は例えば、酸化亜鉛、酸化スズ、酸化カドミウム、酸化チタン、酸化インジウム又は酸化インジウムスズ（ＩＴＯ）としての透明な導電性金属酸化物を含む。さらに、二元性化合物の代わりに又はそれに加えて、透明な導電性酸化物は、Ｚｎ、Ｓｎ、Ｃｄ、Ｍｇ、Ｉｎ及びＧａのうちの２つ及びＯを含む三元性化合物を含む。透明な導電性酸化物は、ｐ型にドーピングされているか又はｎ型にドーピングされており、カソード又はアノード材料として働く。択一的に又は付加的に、透明な電極は、薄い透明金属層を含む。適切な金属材料は、例えば、アルミニウム、バリウム、インジウム、銀、金、マグネシウム、カルシウム又はリチウム又はこれらの組合せ、化合物又は合金であることができる。金属を含む電極は、透明又は不透明であることができ、アノード又はカソード材料として働くことができる。
【００３０】
有機半導体層又は少なくとも１つの有機層を備える半導体層シーケンスは、ポリマ、オリゴマー、モノマー、有機小分子又はその他の有機非ポリマ材料又はそれらの組合せを含む。
【００３１】
発明の少なくとも１つの実施形態において、有機放射発生装置は、電極及び／又は有機層及び／又は活性領域が、湿気、又は例えば酸素等の酸化物質によって損害を受けることから保護する封止を含む。封止は、単層又は複数の層を含み、１つの層又は複数の層は、平坦化層、好適にはセラミックを含むバリヤ層、水及び／又は酸素吸収層、又はこれらのあらゆる組合せを含むことができる。
【００３２】
放射発生装置は、放射取出し面を含む。放射取出し面は、基板の面（"ボトムエミッタ"）又は、放射発生装置の活性領域上に配置された、封止又は第２の電極（"トップエミッタ"）の面であることができ、これにより、活性領域は、基板と、カプセル封入又は第２の電極との間に挟まれている。択一的に、放射発生装置は、同時にボトムエミッタ及びトップエミッタとして形成されることができる。
【００３３】
発明の少なくとも１つの実施形態において、放射発生装置は、エレクトロルミネセンスフォイル（ＥＬＦ）として形成されている。ＥＬＦは、例えば硫化亜鉛に基づく無機材料を含む活性領域を含む。活性領域は、第１の電極と第２の電極との間に配置されていることができる。電極は、前記電極のような特徴又は構造を有する。活性領域は、適切なドーパント、例えば銅又はユーロピウムを含む。ＥＬＦは、電極及び／又は活性領域を挟んだ、基板及び／又は封止として形成された、プラスチックフォイルを含むことができる。
【００３４】
特に、ＯＬＥＤ又はＥＬＦを含む放射発生装置の活性領域は、同時に又は異なる時に異なる波長及び／又は同じ波長を有する電磁放射を発生することができる、様々なサブエリア又はコンポーネントに構造化されていることができる。例えば、活性領域は、可視光、好適には白色光を発生することができる第１のサブエリアの第１のグループを含むと好適である。さらに、活性領域は、紫外光又は赤外光を発生することができる第２のサブエリアの第２のグループを含むことができる。
【００３５】
特に、第１及び／又は第２の電極は、電流及び／又は電圧が第１のサブエリア又は第２のサブエリア又はこれらの両方に印加されるように構造化されている。このような装置は、内部空間を照明及び殺菌するために、又は前記のように内部空間を照明しかつ内部空間における赤外線吸収成分を検出するために、適している。例えば、構造化されたＯＬＥＤ又はＥＬＦは、照明手段及び／又は殺菌手段及び／又は検出手段及び／又はディスプレイとして特に適している。例えば、構造化されたＯＬＥＤ又はＥＬＦは、ピクセル化構造を備えたサブエリアを含み、この構造において、独立して制御可能な放射発生サブエリアがピクセルとして形成されており、英数字及び／又は図形情報が、ディスプレイピクセルとして使用されるサブエリアによって表示されることができる。これと同時に、放射発生装置の別のサブエリアは、照明手段又は殺菌手段として働くことができる。
【００３６】
発明の少なくとも１つの実施形態において、ＯＬＥＤ又はＥＬＦを含む放射発生装置は、フレキシブル及び／又は湾曲可能である。このような放射発生装置は、有利には、１つ又は２つ以上の平坦な又は湾曲した内壁面を１つの放射発生装置で被覆又はカバーするために使用されることができる。択一的に、放射発生装置は、曲がった又は湾曲した内壁面と整合するように剛性で平坦であるか又は剛性でかつ曲がっていることができる。特に、全ての内壁面は、フレキシブル又は剛性の、単一の放射発生装置又は複数の放射発生装置で被覆又はカバーされていることができる。
【００３７】
発明の別の実施形態において、放射発生装置は、無機発光ダイオード（ＬＥＤ）を含む。ＬＥＤは、基板におけるエピタキシャル成長された半導体層シーケンスを含み、例えばＩｎＧａＡｌＮ等の無機材料に基づくことができる。択一的に、半導体層シーケンスは、ＩｎＧａＡｌＰ又はＡｌＧａＡｓに基づくことができる。択一的に又は付加的に、半導体層シーケンスは、その他のＩＩＩ−Ｖ−半導体材料システム又はＩＩ−ＶＩ−半導体システム又は前記材料のあらゆる組合せをも含むことができる。基板は、前記基板のような特徴を含む。ＬＥＤは、薄膜半導体チップとして形成されている。
【００３８】
半導体シーケンスは、ｐｎ遷移、ダブルヘテロ構造、単一量子井戸構造又は多重量子井戸構造として形成された活性領域を含む。ＬＥＤは、上述のような特徴及び／又は構造を有する、電極及び／又は電気的接点を含む。
【００３９】
発明の別の実施形態において、放射発生装置は、ハウジング及び／又は、レンズ、拡散器及び／又は波長変換器等の光学素子を含む。ハウジングは、ＬＥＤ、ＯＬＥＤ及び／又はＥＬＦのうちの１つ又は２つ以上を含む。拡散器は有利には、特に、外部観察者による同質の光及び輝度印象が好ましい場合に、放射発生装置の放射経路に配置されることができる。拡散器は有利には、点状及び／又は線状のＬＥＤ、ＯＬＥＤ及び／又はＥＬＦと組み合わせて使用されることができる。単色放射発生装置と組み合わされた波長変換器は、観察者への混色又は白色印象を提供するために有利である。
【００４０】
発明の好適な実施形態において、放射発生装置は、第１の電磁放射を発生することができる第１のコンポーネントと、第２の電磁放射を発生することができる第２のコンポーネントとを有する。例えば、放射発生装置は、１つのハウジングに配置された第１のＬＥＤと第２のＬＥＤとを有する。第１のＬＥＤは、可視放射を発生することができるのに対し、第２のＬＥＤは、紫外又は赤外放射を発生することができる。このような放射発生装置は、上述のように内部空間を照明及び殺菌するのに適している。第１及び第２のコンポーネント又は複数のコンポーネントを有する放射発生装置は、上述のような異なるサブエリアを備えた放射発生装置のような特徴及び機能を有する。
【００４１】
発明の少なくとも１つの実施形態において、電気機器は、家庭用機器又は装置、医療用機器又は装置及び／又は産業用機器又は装置である。
【００４２】
発明の好適な実施形態において、電気機器はさらに、内部空間を、外部環境の温度よりも低い温度まで冷却するための冷却装置を含む。例えば、電気機器は、冷蔵庫、凍結器、アイスボックス、低温室又は冷却チャンバを含むことができる。
【００４３】
発明の少なくとも１つの好適な実施形態において、冷却装置を備えた電気機器はさらに、ＯＬＥＤ又はＥＬＦディスプレイ及び／又は照明手段及び／又は殺菌手段及び／又は検出手段としてのＯＬＥＤを有する。特に、ＯＬＥＤ又はＥＬＦはディスプレイとして使用されることができ、情報を表示するために英数字又は図形ディスプレイを可能にするか、又は光源として使用されることができる。ＯＬＥＤ及びＥＬＦは、極めて低い温度においてさえも迅速な応答及び高いコントラストを維持しながら極めて低い温度から室温より高い温度までに亘る温度で作動することができるという利点を有する。さらに、全ての前記放射発生装置は、フレキシブルな形状因子を提供しながら低い発熱で動作し、これにより、発生された電磁放射は、内部空間が満杯である場合、つまり、内部空間が例えば食品又はその他の物体によって満たされている場合でさえも、容易に妨害されない。放射発生装置は、内部空間及び／又は内壁面のフォーム及び形状に合致することができる、フレキシブルな基板又は予備成形された基板又はハウジングを有する。特に、ＯＬＥＤの寿命は低温において著しく延長される。さらに、内部空間は低温において低レベルの湿度を有するのに対し、内部空間は、外部環境から分離されている時には暗くなっており、このことは、特のＯＬＥＤの劣化を回避する。
【００４４】
発明の別の実施形態において、電気機器はさらに、内部空間に水を提供するための接続部を有する。これは、内部空間の一部である容器に水が封入されることができるということであり、かつ／又は水が少なくとも一時的に及び／又は部分的に内部空間によって貯留されるということである。例えば、容器は、冷蔵庫における給水器として形成されている。放射発生装置によって発生される紫外放射は、内部空間及び／又は容器に貯留された水を清浄化するために提供されることができる。
【００４５】
択一的に、電気機器はさらに、内部空間に配置された物体が浄化又は洗浄されることができる、洗浄又は浄化機器及び／又は装置を含む。例えば、電気機器は、洗濯機又は皿洗い機であることができる。特に、洗濯機又は皿洗い機が運転している時に紫外電磁放射が提供され、これにより、洗浄及び／又は浄化のために使用される水を殺菌及び浄化する。択一的に又は付加的に、洗濯機又は皿洗い機が空である時に、放射発生装置によって紫外電磁放射が発生されることができる。これは、例えば、洗濯機又は皿洗い機の運転後に内部空間を殺菌するのに適している。さらに、洗濯機又は皿洗い機の内部空間にそれぞれ配置された衣類又は物体は、電気機器が運転している間、放射発生装置によって発生される可視電磁放射によって照明されることができる。内部空間に配置された衣類又は物体は、電気機器が運転されている間、電気機器のドア又は壁部に設けられた窓から見える。
【００４６】
発明の別の特徴、実施形態及び利点は、図面にしたがった典型的な実施形態の記述に関連して以下に開示される。
【発明を実施するための最良の形態】
【００４７】
図面において、同様のエレメント、又は同様の機能を有するエレメントは、同じ参照符号で表されている。示されたエレメント、コンポーネント及び／又は層は、正確な寸法及び／又は大きさを表すわけではない。これに対し、エレメント、コンポーネント及び／又は層の寸法及び／又は大きさは、誇張して示されている。
【００４８】
図１は、発明の少なくとも１つの実施形態による電気機器１０００の実施形態を示している。図面は、電気機器１０００の概略的な斜視図である。
【００４９】
電気機器１０００は、壁部２によって包囲された内部空間１を有する、冷蔵庫又は凍結器を表している。ドア３によって閉鎖されることができる開口２１が設けられている。ドア３は、閉鎖されている時、内部空間１を外部環境から分離する。壁部２及びドア３は、内部空間１のための容器を形成している。壁部２は、内部空間１に面した内壁面２０，２０１，２０３を有しており、ドア３は、ドア３が閉鎖されている時に内部空間１に面する内部ドア面３０を有している。さらに、ドア３は窓５を有しており、ドアが閉鎖されて内部空間１が外部環境から分離されている時にこの窓から内部空間１を見ることができる。
【００５０】
低温に保たれるべき食品等の物体が内部空間１に配置される。内部空間１における物体のための支持体としても働く棚６が内部空間１に取り付けられている。棚６は保持エレメント６０によって支持されており、この保持エレメント６０は、内壁面２０に固定されているか又は内壁面２０の構造である。斜視図であることにより、保持エレメント６０を備えた１つの内壁面だけが見えている。外部環境の温度よりも低い温度まで内部空間１を冷却するために、電気機器１０００は冷却装置７を有している。冷却装置７の冷却能力により、電気機器７は冷蔵庫又は凍結器であることができる。
【００５１】
電気機器１０００はさらに、壁部２に配置された放射発生装置４１，４２，４３，４４，４５を有している。図１に示された放射発生装置４１，４２，４３，４４，４５の位置及び形状は、単なる例として選択されている。特に、反対側の内壁面２０も、放射発生装置を有することができる。付加的に又は択一的に、放射発生装置は、いずれの他の内壁面２０，２０１，２０３に配置されることもできる。放射発生装置４１，４２，４３は線状であるのに対し、放射発生装置４４，４５は円形である。放射発生装置４１，４２，４３は全て、可視波長を有する第１の電磁放射を発生する無機ＬＥＤである第１のコンポーネントと、紫外波長を有する第２の電磁放射を発生する無機ＬＥＤである別の第２のコンポーネントとを有している。
【００５２】
放射発生装置４１，４２，４３の例として、図２Ａ及び２Ｂはそれぞれ、放射発生装置４１の正面図と側面図とを示している。図における線Ａ−Ａ及びＢ−Ｂはそれぞれ、他方の図の平面を示している。
【００５３】
放射発生装置４１は、無機ＬＥＤ４１１，４１２，４１３，４１４を支持したハウジング４１０を有している。図２Ａ及び２Ｂに示された特定の実施形態において、ＬＥＤ４１４が、放射発生装置４１の第１のコンポーネントである。ＬＥＤ４１４は、紫外電磁放射である第１の電磁放射を発生する。特に、紫外放射の波長は、殺菌剤、殺ウイルス剤及び／又は殺細菌剤であるように選択され、これにより、ＬＥＤ４１４が作動させられている場合、内部空間１は殺菌及び滅菌されることができる。さらに、ＬＥＤ４１１，４１２，４１３は、放射発生装置４１の第２のコンポーネントとして形成されており、それぞれ、赤、緑及び青の波長を有する可視電磁放射である第２の電磁放射を発生するように選択されている。発生された可視電磁放射は、拡散器を含む光学素子４１９を通過し、これにより、ＬＥＤ４１１，４１２，４１３によって発生された、様々な可視波長を有する電磁放射が混合され、重ねられる。したがって、放射発生装置４１は、例えば、第２の電磁放射として白色光を発生することができる。ＬＥＤ４１１，４１２，４１３それぞれによって発生された電磁放射の相対的な輝度に応じて、発生される色の制御が可能である。なぜならば、放射発生装置４１の第２のコンポーネントは、着色された電磁放射をも発生するからである。
【００５４】
択一的に、線状の放射発生装置４１，４２，４３は、前述の第１及び第２のコンポーネントに対応する第１及び第２のサブエリアを備えた、１つ又は２つ以上の構造化された又は構造化されていない、ＯＬＥＤ又はＥＬＦを含むことができる。
【００５５】
放射発生装置４１，４２，４３の第１及び第２のコンポーネントは、ドア３が開閉されると検出するスイッチ９によって制御される。スイッチ９は、ドア３が閉鎖されている時には第１の電磁放射、すなわち紫外電磁放射のみが放射発生装置４１，４２，４３によって発生され、内部空間が外部環境に開放されている時には放射発生装置４１，４２，４３が第１の電磁放射を発生するのを停止することを保証する。したがって、電気機器１０００のあらゆる使用者は、紫外電磁放射に対して保護されることができる。さらに、壁部２、ドア３及び窓５は紫外電磁放射に対して不透明である。窓５は可視放射に対して透過性であるので、放射発生装置４１，４２，４３は、ドア３が開放又は閉鎖されている時にそれぞれ、内部空間１及び内部空間１に配置された物体を照明するために使用されることができる。択一的に、放射発生装置４１，４２，４３の第２のコンポーネントは、ドアが開放されている時だけに第２の電磁放射が発生され、ドアが閉鎖されている時には放射発生装置４１，４２，４３が第２の電磁放射を発生するのを停止するように、スイッチ９によって制御されることもできる。
【００５６】
内部空間１における物体及び特に食品の劣化を制御するために、放射発生装置４４，４５は、赤外波長を発生する無機ＬＥＤ及び／又はＯＬＥＤを含む。放射発生装置４４，４５に向き合ってかつ対面して配置された内壁面２０において、電気機器１０００は、赤外線検出器（図示せず）を有することができる。択一的に、放射発生装置４４，４５は赤外線検出器をも有しており、放射発生装置４４，４５によって発生された赤外電磁放射は、例えば、放射発生装置４４，４５に向き合った内壁面２０に設けられた鏡によって反射される。さらに、放射発生装置４４，４５はさらに、内部空間１をさらに照明するための可視放射を発生するＬＥＤを有することもできる。
【００５７】
電気機器１０００の寸法は制限されていないので、電気機器１０００は、冷蔵室又は冷却チャンバとして配置されることもできる。
【００５８】
さらに、電気機器１０００に類似の電気機器は例えばクリーニング装置又は皿洗い機又は洗濯機であることもでき、この場合、冷却装置７が、内部空間１に水を提供するための接続部と交換される。
【００５９】
図３は、外部環境から開口２１に向かって正面図で示された電気機器２０００の別の実施形態の概略図である。ドア３は完全に開放されて示されている。電気機器の機能は、前の実施形態と同様であるので、以下では、相違点だけが詳細に説明される。
【００６０】
図１、図２Ａ及び２Ｂに関して示された実施例とは異なり、電気機器２０００はパネル状の放射発生装置４０，４６，４７，４８を有している。放射発生装置４０，４６，４７，４８は、内壁面２０，２０１，２０２、内部ドア面３０、及び棚６にそれぞれ配置されたＯＬＥＤ及び／又はＥＬＦを含み、これにより、内壁面２０、内部ドア面３０及び棚６は放射発生装置４０，４６，４７，４８によってそれぞれ被覆又はカバーされている。放射発生装置４０，４６，４７，４８は、明細書の概略部において上で説明されたような特徴を有することができる。特に、放射発生装置４０，４６，４７，４８は、紫外及び／又は赤外及び可視、好適には白色、電磁放射をそれぞれ発生する、第１及び第２のサブエリアを有する。したがって、単一の放射発生装置４０，４６，４７，４８のそれぞれは、上述のような放射発生装置４１，４２，４３，４４，４５と同様に作動させられることができる。
【００６１】
特に、放射発生装置４８は、底部内壁面２０１をカバーしているか、又は底部内壁面２０１に一体的に組み込まれていることができるのに対し、放射発生装置４０は、内部ドア面３０をカバーしている。放射発生装置４６は、曲げられており、上部内壁面２０２と、内壁面２０の一部とをカバーしている。放射発生装置４６は、内壁面２０，２０２の形状に合致するように、剛性でかつ予備成形されているか、又は柔軟であることができる。放射発生装置４７は、棚６に配置されており、例えば、内部空間６の、棚６の下方の下側部分に配置された物体を照明及び／又は殺菌することができる。択一的に又は付加的に、放射発生装置は、内部空間１、及び／又は棚６の上に配置された物体を照明及び／又は殺菌することもできる。保持エレメント６０は、放射発生装置４７を電源（図示せず）に電気的に接続するために導電体を有する。
【００６２】
図４は、以上の概略的な図と同様の図で示された、電気機器３０００の別の実施形態の概略図を示している。
【００６３】
電気機器３０００は、ドア３に窓５を有しており、ドア３が閉鎖されて内部空間１が外部環境から分離されている時にこの窓から外部観察者が放射発生装置４９を見ることができる。放射発生装置４９は、第１及び第２のサブエリア４９１，４９２を有するＯＬＥＤを含む。サブエリア４９１は、殺菌及び滅菌のために紫外第１電磁放射を発生するための有機材料を含む。第２のサブエリア４９２は、ピクセル４９２０として形成された別のサブエリアを有する。サブエリア４９２は、複数のピクセル４９２０が同時に可視第２電磁放射を発生する場合、照明手段として働くことができる。さらに、サブエリア４９２は、ピクセル４９２０が互いに独立して作動させられる場合に、英数字又は図形ディスプレイとして働くことができる。ドア３に窓５が設けられていることにより、ドア３が閉鎖されている時でさえも、表示された情報を見ることができる。例えば、サブエリア４９２は、内部空間１における条件についてのステータス情報を表示することができる。
【００６４】
択一的に又は付加的に、放射発生装置４９又は、少なくとも放射発生装置４９のサブエリア４９２に類似のディスプレイは、内部ドア面、特に少なくとも窓５の一部をカバーすることができる。放射発生装置は、電磁放射を、窓５を通って及び内部空間に向かって発生するように形成されることができる。
【００６５】
電気機器３０００はさらに、内部空間１に配置された容器８を有する。容器８は、全ての側において壁部によって閉鎖されているが、前側の壁部は説明のために示されていない。容器８は、好適には紫外電磁放射を発生する放射発生装置４を有する。図３に示された実施形態において、容器８は、冷蔵庫である電気機器３０００に組み込まれた給水器である。水接続部８１によって給水器８に水が供給されることができる。前の実施形態に示されたあらゆる電磁放射装置は、単なる例であり、明細書に記載されたあらゆるその他の放射発生装置と交換されることができる。
【００６６】
発明の範囲は、ここに記載された典型的な実施形態に限定されない。発明は、新規の特徴又は特徴の組合せが請求項又は実施形態に明瞭に述べられていないとしても、ここに開示されておりかつ請求の範囲に述べられた特徴のあらゆる組合せを含む、あらゆる新規の特徴及びあらゆる新規の特徴の組合せにおいて具体化される。
【図面の簡単な説明】
【００６７】
【図１】少なくとも１つの実施形態による電気機器の概略図である。
【図２】少なくとも１つの別の実施形態による放射発生装置の概略図である。
【図３】本発明による別の実施形態による電気機器の概略図である。
【図４】本発明による別の実施形態による電気機器の概略図である。
【符号の説明】
【００６８】
１０００，２０００，３０００  電気機器、  １  内部空間、  ２  壁部、  ３  ドア、  ５  窓、  ６  棚、  ７  冷却装置、  ８  容器、  ８１  送水部、  ９  スイッチ、  ２０，２０１，２０３  壁面、  ２１  開口、  ３０  内部ドア面、  ４１，４２，４３，４４，４５，４６，４７，４８，４９  放射発生装置、  ４１０  ハウジング、  ４１１，４１２，４１３，４１４  無機ＬＥＤ、  ４１９  光学素子、  ４９１，４９２  サブエリア、  ４９２０  ピクセル、  ６０  保持エレメント
【図１】
2008142554.tif 000003
【図２】
2008142554.tif 000004
【図３】
2008142554.tif 000005
【図４】
2008142554.tif 000006